(57)【要約】【課題】本発明は、ヘアドライヤーにおけるノズルをスライドにより風量及び風向を変更可能とするヘアドライヤーを提供することを目的とするものである。【解決手段】本発明に係るヘアドライヤーＡは、その吐出口Ｂ３に取り付けたノズルセットＣが内側ノズル１０と、内側ノズルの風吐出方向に引き出し又は押し込み可能にスライドする外側ノズル３０とからなり、外側ノズルを押し込んだ際と引き出した際とで風量及び風向が変化するものである。【選択図】        図２
2020195588.tif 000002
【特許請求の範囲】
【請求項１】
内部に送風装置とヒータとを備え、先端に吐出口を配備したヘアドライヤー本体と、ヘアドライヤー本体の吐出口に取り付けたノズルセットとからなるヘアドライヤーであって、
前記ノズルセットは、
前記ヘアドライヤー本体の吐出口に着脱自在に取付けた内側ノズルと、
前記内側ノズルを覆うように装着されると共に当該内側ノズルの風吐出方向に引き出し又は押し込み可能にスライドする外側ノズルとからなり、
前記内側ノズルは、
前記ヘアドライヤー本体の吐出口に取り付けられる筒状の内側ノズルベース部と、
当該内側ノズルベース部から延設される通風ガイドと、
当該通風ガイドの先端部近傍の両側端部から上下に跨がる閉鎖舌部と、
当該閉鎖舌部と前記内側ノズルベース部との間の第１通風口と、
当該通風ガイドの基部に形成された第２通風口と、
当該閉鎖舌部と当該通風ガイドとで形成される通風路とからなり、
前記外側ノズルは、
筒状の外側ノズルベース部と、
当該外側ノズルベース部の先端部の中央ノズル口と、
当該中央ノズル口の基部に設けたサブノズル口と、
前記外側ノズルベース部であって前記内側ノズルの前記第２通風口を塞ぐ部位にあるシャッター部と、
外側ノズル内における側端部の位置に、サブノズル口に通じるように、シャッター部の先端に風吐出方向に延設されたサイドノズル口とからなり、
前記外側ノズルを前記内側ノズルの風吐出方向に押し込んだときは、当該内側ノズルの閉鎖舌部が外側ノズルのサブノズル口を閉鎖すると共に内側ノズルの第２通風口が外側ノズルのサイドノズル口から通風されるように開口し、
前記外側ノズルを前記内側ノズルの風吐出方向に引き出したときは、当該内側ノズルの閉鎖舌部が外側ノズルのサブノズル口を開口すると共に内側ノズルの第２通風口が外側ノズルのシャッター部で閉鎖される
ことを特徴とするヘアドライヤー。
【請求項２】
前記内側ノズルの前記通風ガイドの第２通風口近傍に内側ノズルスライド溝部を形成し、
前記外側ノズルのシャッター部近傍に外側ノズルスライドレール部を形成し、
前記外側ノズルの外側ノズルスライドレール部と内側ノズルの内側ノズルスライド溝部とが係合する
ことを特徴とする請求項１に記載のヘアドライヤー。
【請求項３】
内部に送風装置とヒータとを備え、先端に吐出口を配備したヘアドライヤー本体と、ヘアドライヤー本体の吐出口に取り付けたノズルセットとからなり、
前記ノズルセットは、前記ヘアドライヤー本体の吐出口に着脱自在に取付けた内側ノズルと、前記内側ノズルを覆うように装着されると共に当該内側ノズルの風吐出方向に引き出し又は押し込み可能にスライドする外側ノズルとからなり、
前記外側ノズルは、当該外側ノズルベース部の先端部の中央ノズル口と、当該中央ノズル口の基部に設けたサブノズル口を備え、
前記外側ノズルを引き出し又は押し込みのいずれか一方を行った際には、外側ノズルのサブノズル口が開放して通風路を形成し、他方を行った際には、外側ノズルのサブノズル口が閉鎖される
ことを特徴とするヘアドライヤー。
【発明の詳細な説明】
【技術分野】
【０００１】
本発明は、ヘアドライヤーに関し、特に改良したノズルを備えたヘアドライヤーに関する。
【背景技術】
【０００２】
現状のヘアドライヤーは、下記特許文献１及び２に示されるように、内側ノズルと外側ノズルの２つのノズルからなり、ヘアドライヤーの吐出口に内側ノズルを固定し、外側ノズルを回転させて風路を開閉し、風速の調整を行う回転式ノズルが知られている。
【０００３】
すなわち、下記特許文献１に示されるヘアドライヤーは、常開型の中央ノズル口と上下及び左右の開閉型のサイドノズル口を有するノズル本体に、回転蓋を回転自在に装着し、回転蓋を回転させることにより、上下のサイドノズル口を開放するとともに左右のサイドノズル口を閉じることにより上下縦向きの風と、左右のサイドノズル口を開放するとともに上下のサイドノズル口を閉じることにより左右横向きの風とを切り替える構成である。
【０００４】
また、下記特許文献２に示されるヘアドライヤーは、前記特許文献１に示されるヘアドライヤーの改良型であって、ノズルの内周に該ノズルよりも高剛性の吹出口グリルを圧入し、これによりノズルの真円度を補正でき、シャッタ（特許文献１における回転蓋）をノズルの内周又は外周に沿って円滑にスライドさせることができる構成である。
【先行技術文献】
【特許文献】
【０００５】
【特許文献１】実開平４−１３０７０５号公報
【特許文献２】特開平５−１３０９１５号公報
【発明の概要】
【発明が解決しようとする課題】
【０００６】
しかし、上記現状の回転式ノズルは、外側ノズルを回転操作するときに回転部をつかみやすくする回転リングが必要となり、美観を損なう要因となっていた。また、特許文献１または２に示されるように、ノズルに対して回転蓋を円滑に回転させるためには精度を上げたり材料の硬度を上げるなどの種々の工夫が必要であり、回転式ノズルはコストがかかる割には具合良く作動するものが完成されていないのが現状である。
【０００７】
本発明は、上記現状の回転式ノズルに代えてスライド式ノズルを採用することにより、回転リングを不要とし、美観の向上を図ることを目的とする。
【課題を解決するための手段】
【０００８】
本発明の請求項１に係るヘアドライヤーは、内部に送風装置とヒータとを備え、先端に吐出口を配備したヘアドライヤー本体と、ヘアドライヤー本体の吐出口に取り付けたノズルセットとからなるヘアドライヤーであって、前記ノズルセットは、前記ヘアドライヤー本体の吐出口に着脱自在に取付けた内側ノズルと、前記内側ノズルを覆うように装着されると共に当該内側ノズルの風吐出方向に引き出し又は押し込み可能にスライドする外側ノズルとからなり、前記内側ノズルは、前記ヘアドライヤー本体の吐出口に取り付けられる筒状の内側ノズルベース部と、当該内側ノズルベース部から延設される通風ガイドと、当該通風ガイドの先端部近傍の両側端部から上下に跨がる閉鎖舌部と、当該閉鎖舌部と前記内側ノズルベース部との間の第１通風口と、当該通風ガイドの基部に形成された第２通風口と、当該閉鎖舌部と当該通風ガイドとで形成される通風路とからなり、前記外側ノズルは、筒状の外側ノズルベース部と、当該外側ノズルベース部の先端部の中央ノズル口と、当該中央ノズル口の基部に設けたサブノズル口と、前記外側ノズルベース部であって前記内側ノズルの前記第２通風口を塞ぐ部位にあるシャッター部と、外側ノズル内における側端部の位置に、サブノズル口に通じるように、シャッター部の先端に風吐出方向に延設されたサイドノズル口とからなり、前記外側ノズルを前記内側ノズルの風吐出方向に押し込んだときは、当該内側ノズルの閉鎖舌部が外側ノズルのサブノズル口を閉鎖すると共に内側ノズルの第２通風口が外側ノズルのサイドノズル口から通風されるように開口し、前記外側ノズルを前記内側ノズルの風吐出方向に引き出したときは、当該内側ノズルの閉鎖舌部が外側ノズルのサブノズル口を開口すると共に内側ノズルの第２通風口が外側ノズルのシャッター部で閉鎖されることを特徴とする。
【０００９】
なお、前記の通風ガイド、閉鎖舌部、第１通風口、第２通風口、サブノズル口、シャッター部、サイドノズル口は、これらを設ける個数は限られないが、後述する実施例に示すように、それぞれ一対ずつ設けることが左右及び上下における風量及び風向のバランスがよいので好ましい。
【００１０】
本発明の請求項２に係るヘアドライヤーは、前記請求項１に係るヘアドライヤーの構成に加えて、前記内側ノズルの前記通風ガイドの第２通風口近傍に内側ノズルスライド溝部を形成し、前記外側ノズルのシャッター部近傍に外側ノズルスライドレール部を形成し、前記外側ノズルの外側ノズルスライドレール部と内側ノズルの内側ノズルスライド溝部とが係合することを特徴とする。
【００１１】
なお、前記の内側ノズルスライド溝部、外側ノズルスライドレール部は、これらを設ける個数は限られないが、後述する実施例に示すように、上下一対で左右に設けることが安定性を向上させるので好ましい。
【００１２】
本発明の請求項３に係るヘアドライヤーは、内部に送風装置とヒータとを備え、先端に吐出口を配備したヘアドライヤー本体と、ヘアドライヤー本体の吐出口に取り付けたノズルセットとからなり、前記ノズルセットは、前記ヘアドライヤー本体の吐出口に着脱自在に取付けた内側ノズルと、前記内側ノズルを覆うように装着されると共に当該内側ノズルの風吐出方向に引き出し又は押し込み可能にスライドする外側ノズルとからなり、前記外側ノズルは、当該外側ノズルベース部の先端部の中央ノズル口と、当該中央ノズル口の基部に設けたサブノズル口を備え、前記外側ノズルを引き出し又は押し込みのいずれか一方を行った際には、外側ノズルのサブノズル口が開放して通風路を形成し、他方を行った際には、外側ノズルのサブノズル口が閉鎖されることを特徴とする。
【発明の効果】
【００１３】
本発明に係るヘアドライヤーは、スライド式ノズルを採用しているので、背景技術において説明した回転式ノズルを採用した場合のリングが不要となり、美観の向上を図ることができ、かつ、背景技術における回転式ノズルのように回転を円滑にさせたり、材料を選択するような工夫が不要であり、製造コストが安価である利点がある。
【００１４】
また、内側ノズルと外側ノズルとの隙間が減少し、風路断面積を狭めた場合の風速が高まるので、毛髪を早く乾燥させることができる。
【００１５】
さらに、毛髪のセット用としてスリット状の送風や毛髪の乾燥用としてのスポット状又はフォーカス状の送風のように、送風状態の変化にメリハリがあり、切替効果が発揮される。スポット状又はフォーカス状の送風の場合は、狭い範囲に集中して風が吹き出され、高い風圧の風が毛髪に吹き付けられることにより、風呂上がりの濡れた毛髪でも毛束内部や根元まで風が届くので乾燥時間が早くなる。
【図面の簡単な説明】
【００１６】
【図１】実施例１におけるヘアドライヤーにおいて外側ノズルを押し込んだ状態を示す斜視図（ヘアドライヤー本体は破線で示す）である。
【図２】実施例１におけるヘアドライヤーにおいて外側ノズルを引き出した状態を示す斜視図（ヘアドライヤー本体は破線で示す）である。
【図３】実施例１におけるヘアドライヤーにおける内側ノズルの斜視図である。
【図４】実施例１におけるヘアドライヤーにおける外側ノズルの内部構造を示す斜視図である。
【図５】図４に示す外側ノズルを図３に示す内側ノズルに装着しようとする状態を示す斜視図である。
【図６】図４に示す外側ノズルを図３に示す内側ノズルに装着した状態を示す斜視図である。
【図７】図４に示す外側ノズルを図３に示す内側ノズルに装着して、外側ノズルを引き出した状態を示す斜視図である。
【図８】図４に示す外側ノズルを図３に示す内側ノズルに装着して、外側ノズルを引き出した状態の６面図及び斜視図である。
【図９】外側ノズルを内側ノズルに押し込んだ状態の風の流れを示す斜視図である。
【図１０】外側ノズルを引き出した状態の風の流れを示す斜視図である。
【発明を実施するための形態】
【００１７】
ヘアドライヤーの吹出口に着脱自在に取り付けるノズルであって、外側ノズルと内側ノズルの２つの部材から構成されている。
【００１８】
内側ノズルはヘアドライヤーの吐出口に取り付ける。外側ノズルは内側ノズルの外側を覆うように装着され、かつ内側ノズルに対して引き出し及び押し込み自在に取り付けられる。
【００１９】
ヘアドライヤーから吹き出される風の風速・風量及び風向は、内側ノズルに対して外側ノズルを引き出し、又は押し込むことで調節する。背景技術に示すヘアドライヤーのように内側ノズルに対して外側ノズルを回転移動させて風速を調整するタイプではない。
【００２０】
次に本発明の好適な実施例を添付の図面に基づいて詳細に説明する。
【実施例１】
【００２１】
本実施例におけるヘアドライヤーＡは、図１及び図２に示すように、ヘアドライヤー本体ＢとノズルセットＣとから構成される。ヘアドライヤー本体Ｂは、その内部に送風装置Ｂ１とヒータＢ２とを備え、送風装置Ｂ１よって送風が発生するヘアドライヤー本体Ｂの風吐出方向の先端に吐出口Ｂ３が配備されている。ノズルセットＣは、ヘアドライヤー本体Ｂの吐出口Ｂ３に着脱自在に取り付けられる。
【００２２】
前記ノズルセットＣは、内側ノズル１０と外側ノズル３０とから構成される。前記内側ノズル１０は、ヘアドライヤー本体Ｂの吐出口Ｂ３に着脱自在に取り付けられる。前記外側ノズル３０は、内側ノズル１０を覆うように装着される。そして、外側ノズル３０は、内側ノズル１０の風吐出方向にスライドして、内側ノズル１０に対して引き出し可能であり、かつ、押し込み可能に構成されている。
【００２３】
前記内側ノズル１０は、図３に示すように、主として筒状の内側ノズルベース部１２と上下一対の閉鎖舌部１６と、左右一対の通風ガイド１８とから構成される。内側ノズルベース部１２は、その風吐出方向とは逆側の筒状端部が前記ヘアドライヤー本体Ｂの吐出口Ｂ３に取り付けられる。閉鎖舌部１６は、内側ノズルベース部１２から延設されるものであって、内側ノズルベース部１２と閉鎖舌部１６との間に上下一対の第１通風口１４を有している。また、通風ガイド１８も内側ノズルベース部１２から延設されるものであって、通風ガイド１８の基部にはそれぞれ第２通風口２０が形成されている。これら閉鎖舌部１６と通風ガイド１８とで囲まれた箇所により、内側ノズル１０には通風路２２が形成される。
【００２４】
前記外側ノズル３０は、図４に示すように、主として、筒状の外側ノズルベース部３２と、中央ノズル口３４と、上下一対のサブノズル口３６と、左右一対のシャッター部３８と、左右一対のサイドノズル口４０とから構成される。中央ノズル口３４は外側ノズルベース部３２の風吐出方向先端部に形成される。サブノズル口３６は中央ノズル口３４基部の上下の両側に設けられる。シャッター部３８は外側ノズルベース部３２であって前記内側ノズル１０の前記第２通風口２０を塞ぐことが可能な部位に設けられている。
【００２５】
そして、図５に示すように、前記外側ノズル３０は内側ノズル１０を覆うように装着される。図６は外側ノズル３０を内側ノズル１０に押し込んだ状態を示し、図７及び図８は内側ノズル１０から外側ノズル３０を引き出した状態を示す。
【００２６】
図９は前記外側ノズル３０を内側ノズル１０に押し込んだときの風の流れを示す。外側ノズル３０を引き出したときには開口していた外側ノズル３０のサブノズル口３６が、外側ノズル３０を前記内側ノズル１０の風吐出方向に押し込んだときは、図９に示すように、当該内側ノズル１０の閉鎖舌部１６により閉鎖される。
【００２７】
その際、外側ノズル３０の引き出し時には内側ノズル１０の第２通風口２０を閉鎖していた外側ノズル３０のシャッター部３８が、外側ノズル３０を押し込むことによって風吐出方向の逆側にずれて内側ノズル１０の第２通風口２０が開口し、内側ノズル１０の第２通風口２０が外側ノズル３０のサイドノズル口４０から通風されるように開口する。
【００２８】
したがって、内側ノズル１０からの送風は、外側ノズル３０の中央ノズル口３４から矢符ａで示すように送風され、サブノズル口３６からの送風は閉鎖舌部１６により閉鎖されることによって、サブノズル口３６から送風される分の風量がサイドノズル口４０から矢符ｂで示すように送風される。
【００２９】
この場合、サブノズル口３６から発する外側ノズル３０の上下からの送風が閉鎖舌部１６により停止し、外側ノズル３０の中央ノズル口３４とサイドノズル口４０とから風が吹き出されることになるので、縦方向の送風領域が狭まり、横長の広がりをもったいわばスリット状の風となる。このスリット状の風によって毛髪のセットがし易くなり、毛髪のセット時間が短縮される。
【００３０】
図１０は前記外側ノズル３０を内側ノズル１０から引き出したときの風の流れを示す。前記外側ノズル３０が内側ノズル１０に押し込んだ際には閉鎖舌部１６により閉鎖されていたサブノズル口３６が、前記外側ノズル３０を前記内側ノズル１０の風吐出方向に引き出したときは、当該内側ノズル１０の閉鎖舌部１６からサブノズル口３６が風吐出方向にずれて開口することになる。
【００３１】
その際、外側ノズル３０の押し込み時には開口していた内側ノズル１０の第２通風口２０は、外側ノズル３０を引き出すことにより外側ノズル３０のシャッター部３８が風吐出方向にずれて内側ノズル１０の第２通風口２０が閉鎖されることになる。
【００３２】
したがって、サブノズル口３６の開口と共に、内側ノズル１０の第２通風口２０が外側ノズル３０のシャッター部３８により閉鎖されるので、第２通風口２０からの送風はサブノズル口３６に向かうことになり、内側ノズル１０からの送風は、外側ノズルの中央ノズル口３４から矢符ａで示すように送風され、外側ノズルの上下のサブノズル口３６から矢符ｃで示すように送風される。
【００３３】
この場合、内側ノズル１０からの送風は、外側ノズルの中央ノズル口３４からの送風と外側ノズルの上下のサブノズル口３６からの送風とが中央方向に集中し、外側ノズル３０を内側ノズル１０に押し込んだ状態の時よりも風の通過面積が増えて断面がほぼ円形のスポット状又はフォーカス状の送風となる。このスポット状又はフォーカス状の風が集中して吹き出されるので、毛髪に高圧の風が吹き付けられてぐっしょりと濡れた毛髪でも毛束内部や毛髪の根元まで風が届き、毛髪の乾燥時間が短くなる。
【００３４】
また、本実施例においては、内側ノズル１０に対して外側ノズル３０が風吐出方向にスライドしやすくするために、図３及び図４に示すように、内側ノズル１０には内側ノズルスライド溝部２４を形成し、外側ノズル３０には外側ノズルスライドレール部４４を形成している。
【００３５】
すなわち、内側ノズルスライド溝部２４は、内側ノズル１０の前記通風ガイド１８の第２通風口２０近傍に形成し、外側ノズルスライドレール部４４は、外側ノズル３０のシャッター部３８近傍に形成したことにより、外側ノズル３０の外側ノズルスライドレール部４４と内側ノズル１０の内側ノズルスライド溝部２４とが係合するので、外側ノズルスライドレール部４４が内側ノズルスライド溝部２４に案内されて常に一定方向に外側ノズル３０が内側ノズル１０に対してスライドすることになる。
【００３６】
前記内側ノズル１０の内側ノズルスライド溝部２４は、外側ノズル３０がスライドする距離に合わせて、外側ノズル３０が押し込まれた位置と外側ノズルが引き出された位置との２箇所に内側ノズルスライド溝部内凹部２５ａ、２５ｂとが形成され、また、外側ノズル３０の外側ノズルスライドレール部４４の風吐出方向と逆側の端部、すなわち、外側ノズル３０が押し込まれたときに内側ノズルスライド溝部内凹部２５ａに嵌まり込み、外側ノズル３０が引き出されたときに内側ノズルスライド溝部内凹部２５ｂに嵌まり込む外側ノズルスライドレール部上凸部４５が形成されている。これにより、外側ノズル３０の押し込み完了時及び引き出し完了時にカチッとした音の発生と嵌合した感触が伝わってクリック感を味わうことができるので、軽快に外側ノズル３０の押し込み動作及び引き出し動作ができる利点がある。
【００３７】
さらに、本実施例においては、図３及び図４に示すように、内側ノズル１０の第２通風口２０の風吐出方向側端部に内側ノズル係止凸部２６を形成し、外側ノズル３０におけるサイドノズル口４０の風吐出方向端部にサイドノズルバー４６を形成している。これにより外側ノズル３０を内側ノズル１０に押し込んだ際に、外側ノズル３０の押し込みが所定位置まで達すると外側ノズル３０のサイドノズルバー４６が内側ノズル１０の内側ノズル係止凸部に当接して外側ノズル３０を押し込みすぎないようになっている。
【００３８】
さらにまた、本実施例においては、図３及び図４に示すように、内側ノズル１０における内側ノズルベース部の端部、すなわちヘアドライヤーＡの吐出口Ｂ３に近い位置に、内側ノズルベース部の端部を周回する内側ノズル係合部２８、本実施例においてはリング状の凹部２８を形成し、外側ノズル３０の外側ノズルベース部の風吐出方向と逆側の端部内側上下２箇所に外側ノズル係合部４８を形成している。これにより前記外側ノズル３０を前記内側ノズル１０に押し込んだときは、前記内側ノズル１０の内側ノズル係合部２８と前記外側ノズル３０の外側ノズル係合部とが係合し、外側ノズル３０の内側ノズル１０に対する固定が安定すると共に外側ノズル３０が内側ノズル１０に対して押し込みすぎないようになっている。
【００３９】
なお、前記の内側ノズル係合部及び外側ノズル係合部の係合は凹凸係合に限られものではなく、挟持係合など変更例も可能であるが、凹凸係合が製造上及びシンプルな点で好ましい。
【００４０】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４１】
Ａ・・・ヘアドライヤー
Ｂ・・・ヘアドライヤー本体
Ｂ１・・送風装置
Ｂ２・・ヒータ
Ｂ３・・吐出口
Ｃ・・・ノズルセット
１０・・内側ノズル
１２・・内側ノズルベース部
１４・・第１通風口
１６・・閉鎖舌部
１８・・通風ガイド
２０・・第２通風口
２２・・通風路
２４・・内側ノズルスライド溝部
２５ａ・風吐出方向の逆側の内側ノズルスライド溝部内凸部
２５ｂ・風吐出方向の内側ノズルスライド溝部内凸部
２６・・内側ノズル係止凸部
２８・・内側ノズル係合部（凹部）
３０・・外側ノズル
３２・・外側ノズルベース部
３４・・中央ノズル口
３６・・サブノズル口
３８・・シャッター部
４０・・サイドノズル口
４４・・外側ノズルスライドレール部
４５・・外側ノズルスライドレール部上凸部
４６・・サイドノズルバー
４８・・外側ノズル係合部（凸部）
【図１】
2020195588.tif 000003
【図２】
2020195588.tif 000004
【図３】
2020195588.tif 000005
【図４】
2020195588.tif 000006
【図５】
2020195588.tif 000007
【図６】
2020195588.tif 000008
【図７】
2020195588.tif 000009
【図８】
2020195588.tif 000010
【図９】
2020195588.tif 000011
【図１０】
2020195588.tif 000012